(57)【要約】【課題】処理負荷を低減することが可能となる番組情報の表示方法及び番組情報を表示するテレビジョン受信機を提供する。【解決手段】選局部１１が選局したテレビジョン信号に含まれる番組情報が番組情報記憶部１５に記憶され、複数番組の番組情報夫々に含まれる番組名が示された番組表が映像表示部１８に表示される。操作部２３が受け付けたカーソルの移動操作により、複数番組のうち、カーソルが位置する一つの番組が指定される。ＣＰＵ１９は、カーソルが停止した場合、タイマ２０にカーソルの停止時間を計時させる。ＣＰＵ１９は、停止時間が所定時間を越えている場合、カーソルが指定する番組の番組情報を番組情報記憶部１５から読み出し、映像表示部１８の表示画面において番組表が表示された領域と異なる領域に表示する。ＣＰＵ１９は、所定時間を超える前にカーソルが移動を開始した場合、番組情報を表示しない。【選択図】図１
2009218734.tif 000002
【特許請求の範囲】
【請求項１】
複数番組に係る番組情報夫々の一部からなる番組表、該番組表上に配置されたカーソル及び前記複数番組のうち、一つの番組に係る番組情報を表示する表示部と、前記カーソルの移動を操作する操作部とを備え、前記カーソルを移動させて前記複数番組のうち、前記カーソルが位置する一つの番組を指定し、指定した番組に係る番組情報を表示するテレビジョン受信機での番組情報の表示方法において、
前記カーソルの停止時間を計時し、
該停止時間が予め定められた設定時間を超えた場合、指定した番組に係る番組情報を表示するよう構成してある
ことを特徴とする番組情報の表示方法。
【請求項２】
複数番組に係る番組情報夫々の一部からなる番組表、該番組表上に配置されたカーソル及び前記複数番組のうち、一つの番組に係る番組情報を表示する表示手段と、前記カーソルの移動を操作する操作部とを備え、前記カーソルを移動させて前記複数番組のうち、前記カーソルが位置する一つの番組を指定し、指定した番組に係る番組情報を表示するテレビジョン受信機において、
前記カーソルの停止を検出する検出手段と、
該検出手段がカーソルの停止を検出した場合、前記カーソルの停止時間を計時する計時部と
を備え、
前記表示手段は、前記停止時間が予め定められた設定時間を超えた場合、指定した番組に係る番組情報を表示するよう構成してある
ことを特徴とするテレビジョン受信機。
【請求項３】
前記番組情報に対する詳細情報を取得する詳細情報取得手段をさらに備え、
該詳細情報取得手段は、前記検出手段がカーソルの停止を検出した場合、前記詳細情報の取得を開始するよう構成してあり、
前記表示手段は、前記停止時間が予め定められた前記設定時間を超えた場合、前記詳細情報取得手段が取得した詳細情報を表示するよう構成してある
ことを特徴とする請求項２に記載のテレビジョン受信機。
【請求項４】
前記検出手段がカーソルの停止を検出した場合、前記複数番組が放送される複数チャンネルのうち、指定した番組が放送されるチャンネルを選局する選局部をさらに備え、
前記表示手段は、
前記番組表及び番組情報を親画面に表示し、
前記停止時間が予め定められた前記設定時間を超えた場合、前記選局部が選局したチャンネルの映像を子画面に表示するよう構成してある
ことを特徴とする請求項２又は請求項３に記載のテレビジョン受信機。
【発明の詳細な説明】
【技術分野】
【０００１】
本発明は、番組表と共に番組情報を表示する番組情報の表示方法及びテレビジョン受信機に関する。
【背景技術】
【０００２】
近年、デジタルテレビジョン信号を用いたデジタルテレビジョン放送が、広く実用化されてきている。デジタルテレビジョン信号には、番組名、放送時刻及び放送チャンネル等を示すＥＰＧ（Electronic Program Guide）情報が含まれており、取得したＥＰＧ情報に基づいて番組表を表示し、視聴者によるチャンネルの選択を容易にするテレビジョン受信機及び録画装置等が用いられている。番組表には、各チャンネルで放送される番組の番組名複数が夫々の放送時間及び放送チャンネルに基づいて時間軸及びチャンネル軸に沿って示されている。ユーザは、テレビジョン受信機に備えられたカーソルキー等を操作することにより、番組表上に表示されたカーソルを移動させて番組表に示された複数番組のうち、一つの番組を指定するよう構成されている。
【０００３】
また、番組の内容等を示しており、番組情報に対する詳細情報をデジタルテレビジョン信号又は外部のサーバ装置からインターネット等のネットワークを介して取得し表示するテレビジョン受信機も使われている。一般に表示画面に表示可能な情報量には制限があるため、番組表には番組情報に含まれる番組名の略称のみが表示されることが多く、ユーザが番組情報に含まれる詳細な放送時刻及び番組情報に対する詳細情報を知ることが困難であった。そこで、特許文献１に記載のテレビジョン受信機で用いられる表示方法では、カーソル位置と対応する番組に係る番組情報及び詳細情報を番組表が表示された領域と異なる領域に表示することにより、ユーザがカーソルを移動させて指定する番組を変更し、各番組に係る番組情報及び詳細情報の確認を可能としている。
【特許文献１】特許第３９６８０６７号公報
【発明の開示】
【発明が解決しようとする課題】
【０００４】
しかしながら、特許文献１に記載の表示方法では、カーソルが複数の番組に渡って連続的に番組表上を移動する場合、指定される番組がカーソル移動に伴って変更される都度、変更された番組に係る番組情報を表示する処理及び詳細情報を取得して表示する処理を必要とし、テレビジョン受信機の処理部に過大な処理負荷が生じるという問題があった。また、デジタルテレビジョン放送の方式によっては、各チャンネルで提供される詳細情報が当該チャンネルで放送される番組に係るもののみである場合があり、このような場合、指定される番組がカーソル移動に伴って異なるチャンネルで放送される番組に変更される都度、変更された番組が放送されるチャンネルに選局を切替える処理を必要とし、係る処理によってもテレビジョン受信機の処理部に過大な処理負荷が生じるという問題があった。
【０００５】
本発明は斯かる事情に鑑みてなされたものであり、番組表上に表示されたカーソルの停止を検出する検出手段と、カーソルの停止時間を計時する計時部と、カーソルが所定時間を越えて停止している場合、カーソルが指定する番組の番組情報及び詳細情報を表示する表示手段とを備えることにより、カーソルが番組表上を移動している期間、番組情報の表示処理及び詳細情報の表示に伴うチャンネルの選局処理等を行うことがなく、係る処理による処理負荷を低減することが可能となる番組情報の表示方法及びテレビジョン受信機を提供することを目的とする。
【課題を解決するための手段】
【０００６】
本発明に係る番組情報の表示方法は、複数番組に係る番組情報夫々の一部からなる番組表、該番組表上に配置されたカーソル及び前記複数番組のうち、一つの番組に係る番組情報を表示する表示部と、前記カーソルの移動を操作する操作部とを備え、前記カーソルを移動させて前記複数番組のうち、前記カーソルが位置する一つの番組を指定し、指定した番組に係る番組情報を表示するテレビジョン受信機での番組情報の表示方法において、前記カーソルの停止時間を計時し、該停止時間が予め定められた設定時間を超えた場合、指定した番組に係る番組情報を表示するよう構成してあることを特徴とする。
【０００７】
本発明にあっては、複数番組の番組情報夫々に含まれる番組名が示された番組表が表示画面の一部領域に表示される。ユーザは、番組表上に表示されたカーソルの移動を操作して、複数番組のうち、カーソルが位置する一つの番組を指定する。カーソルの移動が行われず、所定時間を越えて停止している場合、停止したカーソルにより指定された番組名を有する番組の放送時刻等の番組情報が、番組表が表示された領域と異なる領域に表示される。停止したカーソルが所定時間を超える前に移動を開始した場合、番組情報が表示されず、係る表示処理による負荷が低減される。また、カーソルが移動している期間においても、番組情報が表示されず、係る表示処理による処理負荷が低減される。
【０００８】
本発明に係るテレビジョン受信機は、複数番組に係る番組情報夫々の一部からなる番組表、該番組表上に配置されたカーソル及び前記複数番組のうち、一つの番組に係る番組情報を表示する表示手段と、前記カーソルの移動を操作する操作部とを備え、前記カーソルを移動させて前記複数番組のうち、前記カーソルが位置する一つの番組を指定し、指定した番組に係る番組情報を表示するテレビジョン受信機において、前記カーソルの停止を検出する検出手段と、該検出手段がカーソルの停止を検出した場合、前記カーソルの停止時間を計時する計時部とを備え、前記表示手段は、前記停止時間が予め定められた設定時間を超えた場合、指定した番組に係る番組情報を表示するよう構成してあることを特徴とする。
【０００９】
本発明にあっては、番組表上に表示されたカーソルがユーザの操作により移動され、カーソルが停止した場合、カーソルの停止時間が計時される。カーソルの停止時間が所定時間を超えた場合、停止しているカーソルが指定する番組名を有する番組の放送時刻等の番組情報が、番組表が表示された領域と異なる領域に表示される。カーソルの停止時間が所定時間を超える前にカーソルが移動を開始した場合、番組情報が表示されず、係る表示処理による処理負荷が低減される。また、カーソルが移動している期間においても、番組情報が表示されず、係る表示処理による処理負荷が低減される。
【００１０】
本発明に係るテレビジョン受信機は、前記番組情報に対する詳細情報を取得する詳細情報取得手段をさらに備え、該詳細情報取得手段は、前記検出手段がカーソルの停止を検出した場合、前記詳細情報の取得を開始するよう構成してあり、前記表示手段は、前記停止時間が予め定められた前記設定時間を超えた場合、前記詳細情報取得手段が取得した詳細情報を表示するよう構成してあることを特徴とする。
【００１１】
本発明にあっては、カーソルが停止した場合、カーソルが指定する番組に係る番組情報に対する詳細情報の取得が開始される。カーソルの停止時間が所定時間を越えた場合、所定時間が経過するまでに既に取得を開始された詳細情報が取得終了後に直ちに表示される。カーソルの停止時間が所定時間を越える前にカーソルが移動した場合、詳細情報が表示されず、係る表示処理による処理負荷が低減される。
【００１２】
本発明に係るテレビジョン受信機は、前記検出手段がカーソルの停止を検出した場合、前記複数番組が放送される複数チャンネルのうち、指定した番組が放送されるチャンネルを選局する選局部をさらに備え、前記表示手段は、前記番組表及び番組情報を親画面に表示し、前記停止時間が予め定められた前記設定時間を超えた場合、前記選局部が選局したチャンネルの映像を子画面に表示するよう構成してあることを特徴とする。
【００１３】
本発明にあっては、番組表及び番組情報が親画面に表示される。番組表上に表示されたカーソルが停止した場合、カーソルが指定する番組のチャンネルが選局される。カーソルの停止時間が所定時間を越えた場合、既に選局されているチャンネルの映像が子画面に直ちに表示される。カーソルの停止時間が所定時間を越える前にカーソルが移動した場合、チャンネルの選局及び映像の子画面への表示が行われず、係る処理による処理負荷が低減される。
【発明の効果】
【００１４】
本発明にあっては、番組表上に表示されたカーソルの停止を検出する検出手段と、カーソルの停止時間を計時する計時部と、カーソルが所定時間を越えて停止している場合、カーソルが指定する番組の番組情報及び詳細情報を表示する表示手段とを備えることにより、カーソルが番組表上を移動している期間、番組情報の表示処理及び詳細情報の表示に伴うチャンネルの選局処理等を行うことがなく、係る処理による処理負荷を低減することが可能となる。
【発明を実施するための最良の形態】
【００１５】
実施の形態１
以下、本発明をその実施の形態を示す図面を参照して具体的に説明する。図１は、実施の形態１に係るテレビジョン受信機のハードウェア構成を示すブロック図である。本実施の形態１においては、テレビジョン信号として地上デジタル波放送等に用いられるデジタルテレビジョン信号を受信する場合について説明する。図中１は、テレビジョン受信機を示しており、テレビジョン信号を受信するための外部に設けられたアンテナ３と接続されており、番組が放送されるテレビジョン信号の受信機能を、赤外線を利用したＩｒＤＡ（Infrared Data Association）規格に従う無線通信を用いて遠隔操作装置４により遠隔から操作することができるよう構成されている。
【００１６】
なお、テレビジョン受信機１と遠隔操作装置４とを、赤外線を利用した無線通信だけでなく、例えば、ＩＥＥＥ８０２．１規格に準拠した無線ＬＡＮ及びＢｌｕｅｔｏｏｔｈ（登録商標）規格に準拠した無線通信等を用いて接続しても良い。テレビジョン受信機１は、テレビジョン信号を選局する選局部１１と、選局されたチャンネルのテレビジョン信号からＴＳ（Transport Stream）信号を復調するＴＳ復調部１２と、ＴＳ信号から映像音声信号を復調する映像音声復調部１３と、映像音声信号に含まれる音声信号を増幅して音声としてスピーカ等から出力する音声出力部１４とを備える。
【００１７】
また、テレビジョン受信機１は、番組情報及び詳細情報を記憶する番組情報記憶部１５と、番組表画面の画像を生成する画像生成部１６と、映像信号に番組表画面の画像を重畳するＯＳＤ（On-Screen Display）部１７と、液晶表示パネル等から構成されており映像を表示する映像表示部１８とを備える。また、テレビジョン受信機１は、テレビジョン受信機１を動作させるために必要な種々の制御プログラム等を実行するＣＰＵ１９と、カーソルの停止時間を計時するタイマ２０と、制御プログラム等を記憶しているＲＯＭ２１と、ＣＰＵ１９による制御プログラムの実行時に発生するフラグ等を一時的に記憶するＲＡＭ２２と、インターネット等の通信回線を介して外部に設けられた図示しないサーバ装置と接続し詳細情報をダウンロードする通信部２５とを備えている。
【００１８】
さらに、テレビジョン受信機１は、各種キーを備えており、映像表示部１８に表示されたカーソルの移動操作及び各種操作を受付ける操作部２３と、遠隔操作装置４から送信される通信波を受信する操作受信部２４とを備えている。遠隔操作装置４は、各種キーを備えており、映像表示部１８に表示されたカーソルの移動操作及びテレビジョン受信機１に指示する各種操作を受付ける操作部４１と、操作部４１が受け付けた操作に対応する識別信号を伝送する通信波をテレビジョン受信機１に送信する操作送信部４２とを備えている。ＣＰＵ１９は、ＲＯＭ２１に記憶されている制御プログラムをＲＡＭ２２に読み出し、読み出した制御プログラムに従って各種処理を実行し、バス２６を介してテレビジョン受信機１の各ハードウェアを制御する。
【００１９】
タイマ２０には、予め定められた設定時間と対応するタイマ値が設定されており、ＣＰＵ１９からの指示により、タイマ値のカウントダウンを開始してタイマ値が０となった場合にカウントダウンの終了を示すタイマ信号を、ＣＰＵ１９からバス２６を介してクリア信号を受けるまで、バス２６に出力してＣＰＵ１９に与えるよう構成されている。ＣＰＵ１９は、操作部２３又は遠隔操作装置４の操作部４１が受け付けた操作によりチャンネルが選択された場合、又は後述の番組表画面を表示する処理においてチャンネルが選択された場合、選局部１１に選択されたチャンネルを指定する。選局部１１は、受信した複数チャンネルからなるテレビジョン信号からＣＰＵ１９により指定されたチャンネルを選局して、係るチャンネルのテレビジョン信号をＴＳ復調部１２に与える。
【００２０】
ＴＳ復調部１２は、デジタル変調されているテレビジョン信号の復調を行い、誤り訂正処理等を実行して得たＴＳ信号から映像音声信号及びＥＰＧ情報を分離して、夫々を映像音声復調部１３及び番組情報記憶部１５に与える。映像音声復調部１３は、与えられた映像音声信号を復調して得た映像信号及び音声信号夫々をＯＳＤ部１７及び音声出力部１４に与える。音声出力部１４は、与えられた音声信号にアナログ信号変換及び増幅等を施し図示しないスピーカから音声を出力する。ＯＳＤ部１７は、与えられた映像信号に画像生成部１６から与えられる番組表画面の画像を重畳して映像表示部１８に出力して表示する。
【００２１】
地上デジタル波放送では、夫々のチャンネルで放送される番組のＥＰＧ情報のみが、夫々のチャンネルのテレビジョン信号に含まれる。ＥＰＧ情報には、番組名及び放送時刻等からなる番組情報と、各番組の紹介文及び出演者名等からなる詳細情報が含まれており、番組情報記憶部１５は、ＥＰＧ情報に含まれる番組情報を記憶すると共に、記憶した番組情報をＴＳ復調部１２から一定時間間隔で与えられるＥＰＧ情報に含まれる番組情報を用いて更新するよう構成されている。また、番組情報記憶部１５は、ＣＰＵ１９から与えられる詳細情報の取得指示に従ってＴＳ復調部１２から与えられたＥＰＧ情報に含まれる詳細情報を記憶するよう構成されている。
【００２２】
また、テレビジョン受信機１は、詳細情報をテレビジョン信号に含まれるＥＰＧ情報から取得するだけでなく、ＣＰＵ１９からの指示に従ってネットワークを介して通信部２５に接続される外部のサーバ装置からもダウンロードして取得するように構成されており、取得された詳細情報は番組情報記憶部１５に記憶される。ＣＰＵ１９は、番組情報記憶部１５に記憶されている全チャンネルの番組情報から、各番組名が各チャンネル及び各放送時刻と関連付けられた番組表を作成しバス２６を介して画像生成部１６に与える。画像生成部１６は、カーソルが番組表と共に表示された番組表画面の画像を生成しＯＳＤ部１７に与える。番組表画面の画像は、ＯＳＤ部１７により映像信号に重畳されて映像表示部１８に表示される。
【００２３】
図２は、実施の形態１に係る番組表画面の例を示す模式図である。番組表画面は、選局されたチャンネルの映像に重畳されて映像表示部１８に表示される。図中５は、映像信号に重畳されて表示された番組表画面であり、番組表画面であることを示すタイトル「番組表」、番組表を表示する番組表表示領域５１及び番組表に表示された複数番組のうち一つの番組に係る番組情報を表示する番組情報表示領域５２を含んで構成されている。図２に示す例では、番組表表示領域５１に表示されている番組名「国内のニュース」を有する番組にカーソルが位置しており、番組名が反転表示されている。カーソルの位置は、操作部２３又は遠隔操作装置４の操作部４１に備えられた矢印キー等をユーザが操作することで、番組表表示領域５１に表示された番組表を構成する各番組間を移動するようＣＰＵ１９により制御される。これにより、ＣＰＵ１９は、操作部２３又は遠隔操作装置４の操作部４１が受け付けた操作に基づいて、カーソルの停止を検出する検出手段としても機能する。
【００２４】
カーソルが移動した場合、番組情報表示領域５２の表示内容がクリアされる。カーソルが停止した場合、番組情報記憶部１５及び通信部２５に、停止したカーソルが指定する番組に係る詳細情報の取得を開始させる。また、番組情報記憶部１５が詳細情報を取得する際に選局部１１に指定されているチャンネルと、カーソルが指定する番組が放送されるチャンネルとが異なる場合、カーソルが指定する番組が放送されるチャンネルが選局部１１に指定された後に、詳細情報の取得が開始される。カーソルの停止時間が所定時間を越えた場合、カーソルが指定する番組に係る番組情報及び取得された詳細情報が番組情報表示領域５２に表示される。所定時間は、例えば１秒であり、操作部２３又は遠隔操作装置４の操作部４１がユーザによる操作を受け付けてＣＰＵ１９に操作に係る識別信号を与える時間間隔等に応じて予め選択しタイマ２０に設定しておくと良い。
【００２５】
図２に示す例では、番組情報表示領域５２に、番組情報が表示される領域であることを示すタイトル「番組情報」、カーソルが指定する番組名「国内のニュース」及び当該番組名を有する番組の放送時刻「１０：００〜１０：３０」と共に、詳細情報として「国内のニュースをわかりやすく解説！」が表示されている。カーソルが複数の番組に渡って連続的に移動する場合、各番組上でカーソルが停止している停止時間は、所定時間以下となるため、各番組の詳細情報の取得並びに番組情報及び詳細情報の表示が連続して実行されることがなく、係る処理による処理負荷が低減される。また、カーソルが停止した時点から詳細情報が表示されるまでの期間に、詳細情報の取得が開始されるため、カーソルの停止時間が所定時間を越えた後に詳細情報が表示されるまでの時間が短縮される。
【００２６】
図３及び図４は、実施の形態１に係る番組表画面の表示処理の手順を示すフローチャートである。ＣＰＵ１９は、番組情報記憶部１５が記憶している全チャンネル分の番組情報から番組表を作成し番組表画面を表示する（ステップＳ１１）。ＣＰＵ１９は、カーソルの停止を検出したか否かを判定する（ステップＳ１２）。ＣＰＵ１９は、カーソルの停止を検出していないと判定した場合（ステップＳ１２でＮＯ）、番組情報表示領域５２の表示内容をクリアして（ステップＳ２２）、カーソルの停止を検出したか否かを判定するステップＳ１２に処理を戻す。
【００２７】
ＣＰＵ１９は、カーソルの停止を検出したと判定した場合（ステップＳ１２でＹＥＳ）、タイマ２０に予め設定されているタイマ値のカウントダウンを開始させることにより、カーソルの停止時間を計時開始する（ステップＳ１３）。ＣＰＵ１９は、後述の詳細情報の取得開始を指示する詳細情報取得処理を実行する（ステップＳ１４）。ＣＰＵ１９は、カーソルの停止を検出したか否かを判定する（ステップＳ１５）。ＣＰＵ１９は、カーソルの停止を検出したと判定した場合（ステップＳ１５でＹＥＳ）、タイマ２０がカウントダウンを終了した場合に出力するタイマ信号を検出したか否かを判定する（ステップＳ１６）。
【００２８】
ＣＰＵ１９は、タイマ信号を検出していないと判定した場合（ステップＳ１６でＮＯ）、カーソルの停止を検出したか否かを判定するステップＳ１５に処理を戻す。ＣＰＵ１９は、タイマ信号を検出したと判定した場合（ステップＳ１６でＹＥＳ）、番組情報表示領域５２に番組情報記憶部１５から読み出した番組情報を表示する（ステップＳ１７）。ＣＰＵ１９は、詳細情報取得処理による詳細情報の取得が終了したか否かを判定する（ステップＳ１８）。ＣＰＵ１９は、詳細情報の取得が終了していないと判定した場合（ステップＳ１８でＮＯ）、カーソルの停止を検出したか否かを判定するステップＳ１５に処理を戻す。
【００２９】
ＣＰＵ１９は、詳細情報の取得が終了したと判定した場合（ステップＳ１８でＹＥＳ）、番組情報表示領域５２に詳細情報を表示する（ステップＳ１９）。ＣＰＵ１９は、タイマ２０にクリア信号を与えてリセットする（ステップＳ２０）。ＣＰＵ１９は、操作部２３又は遠隔操作装置４の操作部４１が受け付けた操作により番組表画面の表示がオフにされたか否かを判定する（ステップＳ２１）。ＣＰＵ１９は、番組表画面の表示がオフにされていないと判定した場合（ステップＳ２１でＮＯ）、カーソルの停止を検出したか否かを判定するステップＳ１２に処理を戻す。ＣＰＵ１９は、番組表画面の表示がオフにされたと判定した場合（ステップＳ２１でＹＥＳ）、番組表画面の表示処理を終了する。ＣＰＵ１９は、カーソルの停止を検出したか否かを判定するステップＳ１５において、カーソルの停止を検出していないと判定した場合（ステップＳ１５でＮＯ）、タイマ２０にクリア信号与えてリセットするステップ２０に処理を移す。
【００３０】
図５は、実施の形態１に係る詳細情報取得処理の手順を示すフローチャートである。ＣＰＵ１９は、選局部１１に設定されているチャンネルと、カーソルが指定する番組が放送されるチャンネルとが一致するか否かを判定することにより、チャンネルが移動されたか否かを判定する（ステップＳ３１）。ＣＰＵ１９は、チャンネルが移動されたと判定した場合（ステップＳ３１でＹＥＳ）、選局部１１にカーソルが指定する番組が放送されるチャンネルを設定する（ステップＳ３３）。ＣＰＵ１９は、番組情報記憶部１５にＴＳ復調部１２及び通信部２５からカーソルが指定する番組に係る詳細情報の取得を開始させ（ステップＳ３４）、詳細情報取得処理を終了する。
【００３１】
また、ＣＰＵ１９は、チャンネルが移動されていないと判定した場合（ステップＳ３１でＮＯ）、番組情報記憶部１５にカーソルが指定する番組に係る詳細情報が記憶されているか否かを判定することで、詳細情報が取得済みであるか否かを判定する（ステップＳ３２）。ＣＰＵ１９は、詳細情報が取得済みでないと判定した場合（ステップＳ３２でＮＯ）、ＴＳ復調部１２及び通信部２５から詳細情報の取得を開始させるステップＳ３４に処理を移す。また、ＣＰＵ１９は、詳細情報が取得済みであると判定した場合（ステップＳ３２でＹＥＳ）、詳細情報取得処理を終了する。
【００３２】
本実施の形態１において、テレビジョン信号に含まれるＥＰＧ情報から取得した詳細情報及び通信部２５が外部のサーバ装置からダウンロードした詳細情報を共に用いる場合を示したが、これに限るものではなく、いずれか一つの詳細情報を用いる場合であっても良い。また、番組表を生成するために必要となる全チャンネルの番組情報の取得を、番組表画面の表示を行う際に実行する場合を示したが、これに限るものではなく、視聴者が番組の視聴を行っていない期間に、定期的に行ってもよい。
【００３３】
また、夫々のチャンネルで放送される番組のＥＰＧ情報のみが、夫々のチャンネルのテレビジョン信号に含まれて放送される地上デジタル波放送等に適用する場合を示したが、これに限るものではなく夫々のチャンネルのテレビジョン信号に全チャンネルのＥＰＧ情報が含まれて放送されるＢＳデジタル波放送等に用いても良い。この場合、詳細情報を取得する際に選局部１１にカーソルが指定する番組が放送されるチャンネルを設定しなくても良い。
【００３４】
実施の形態２
図６は、実施の形態２に係る番組表画面の例を示す模式図である。本実施の形態２は、実施の形態１が番組表画面に番組表並びにカーソルが指定する番組に係る番組情報及び詳細情報が表示されるのに対して、カーソルが指定する番組に対応するチャンネルで放送されているテレビジョン信号の映像を表示する子画面がさらに追加される。番組表画面は、選局されたチャンネルの映像信号に重畳されており、広い表示面積を有するため、選局されたチャンネルの映像を視認し難いものとなる。そこで、選局されたチャンネルの映像の表示面積を縮小して子画面として表示することで、映像の視認性が向上する。
【００３５】
図中６は、映像信号に重畳されて映像表示部１８に表示された番組表画面であり、選局されたチャンネルの映像を表示する子画面６１を含んで構成されている。ＯＳＤ部１７は、選局部１１が選局したテレビジョン信号から復調された映像信号が子画面６１に表示されるようスケーリング処理を施し、番組表画面の画像と共に映像信号に重畳することで、子画面表示手段として機能する。また、ＯＳＤ部１７は、ＣＰＵ１９からバス２６を介して与えられた指示により、子画面６１への映像表示の開始及び停止が制御されるよう構成されている。カーソルが移動した場合、番組情報表示領域５２の表示内容がクリアされると共に子画面６１への映像の表示が停止される。
【００３６】
カーソルが停止した場合、選局部１１に指定されるチャンネルがカーソルにより指定された番組が放送されるチャンネルと一致するよう設定される。カーソルの停止時間が所定時間を超えた場合、選局部１１に設定されたチャンネルの映像が子画面６１に表示開始される。図６に示す例では、子画面６１に、カーソルにより指定されている番組名「国内のニュース」と対応するチャンネル１（ＣＨ１）で放送されている映像が、チャンネル番号「ＣＨ１」と共に表示されている。カーソルが複数の番組に渡って連続的に移動する場合、各番組上でカーソルが停止している停止時間は、所定時間以下となるため、選局部１１へのチャンネルの設定及び子画面６１への映像の表示が連続して実行されることがなく、係る処理による処理負荷が低減される。
【００３７】
図７及び図８は、実施の形態２に係る番組表画面の表示処理の手順を示すフローチャートである。ＣＰＵ１９は、番組情報記憶部１５が記憶している全チャンネルの番組情報から番組表を作成し番組表画面を表示する（ステップＳ４１）。ＣＰＵ１９は、カーソルの停止を検出したか否かを判定する（ステップＳ４２）。ＣＰＵ１９は、カーソルの停止を検出していないと判定した場合（ステップＳ４２でＮＯ）、番組情報表示領域５２の表示内容をクリアする（ステップＳ５３）。ＣＰＵ１９は、子画面６１への映像表示を停止し（ステップＳ５４）、カーソルの停止を検出したか否かを判定するステップＳ４２に処理を戻す。
【００３８】
ＣＰＵ１９は、カーソルの停止を検出したと判定した場合（ステップＳ４２でＹＥＳ）、タイマ２０に予め設定されているタイマ値のカウントダウンを開始させることにより、カーソルの停止時間を計時開始する（ステップＳ４３）。ＣＰＵ１９は、詳細情報取得処理を実行する（ステップＳ４４）。このときの詳細情報取得処理は、実施の形態１にて説明した図５に示すフローチャートと同様の処理であるので、説明を省略する。ＣＰＵ１９は、カーソルの停止を検出したか否かを判定する（ステップＳ４５）。ＣＰＵ１９は、カーソルの停止を検出したと判定した場合（ステップＳ４５でＹＥＳ）、タイマ２０がカウントダウンを終了した場合に出力するタイマ信号を検出したか否かを判定する（ステップＳ４６）。
【００３９】
ＣＰＵ１９は、タイマ信号を検出していないと判定した場合（ステップＳ４６でＮＯ）、カーソルの停止を検出したか否かを判定するステップＳ４５に処理を戻す。ＣＰＵ１９は、タイマ信号を検出したと判定した場合（ステップＳ４６でＹＥＳ）、番組情報表示領域５２に番組情報記憶部１５から読み出した番組情報を表示する（ステップＳ４７）。ＣＰＵ１９は、子画面６１に詳細情報取得処理により選局された映像の表示を開始する（ステップＳ４８）。ＣＰＵ１９は、詳細情報取得処理による詳細情報の取得が終了しているか否かを判定する（ステップＳ４９）。ＣＰＵ１９は、詳細情報の取得が終了していないと判定した場合（ステップＳ４９でＮＯ）、カーソルの停止を検出したか否かを判定するステップＳ４５に処理を戻す。
【００４０】
ＣＰＵ１９は、詳細情報の取得が終了したと判定した場合（ステップＳ４９でＹＥＳ）、番組情報表示領域５２に詳細情報を表示する（ステップＳ５０）。ＣＰＵ１９は、タイマ２０にクリア信号を与えてリセットする（ステップＳ５１）。ＣＰＵ１９は、操作部２３又は遠隔操作装置４の操作部４１が受け付けた操作により番組表画面の表示がオフにされたか否かを判定する（ステップＳ５２）。ＣＰＵ１９は、番組表画面の表示がオフにされていないと判定した場合（ステップＳ５２でＮＯ）、カーソルの停止を検出したか否かを判定するステップＳ４２に処理を戻す。ＣＰＵ１９は、番組表画面の表示がオフにされたと判定した場合（ステップＳ５２でＹＥＳ）、番組表画面の表示処理を終了する。ＣＰＵ１９は、カーソルの移動を検出したか否かを判定するステップＳ４５において、カーソルの停止を検出していないと判定した場合（ステップＳ４５でＮＯ）、タイマ２０をリセットするステップＳ５１に処理を移す。
【００４１】
本実施の形態２は以上の如き構成としてあり、その他の構成及び作用は実施の形態１と同様であるので対応する部分には同一の参照番号を付してその詳細な説明を省略する。
【図面の簡単な説明】
【００４２】
【図１】実施の形態１に係るテレビジョン受信機のハードウェア構成を示すブロック図である。
【図２】実施の形態１に係る番組表画面の例を示す模式図である。
【図３】実施の形態１に係る番組表画面の表示処理の手順を示すフローチャートである。
【図４】実施の形態１に係る番組表画面の表示処理の手順を示すフローチャートである。
【図５】実施の形態１に係る詳細情報取得処理の手順を示すフローチャートである。
【図６】実施の形態２に係る番組表画面の例を示す模式図である。
【図７】実施の形態２に係る番組表画面の表示処理の手順を示すフローチャートである。
【図８】実施の形態２に係る番組表画面の表示処理の手順を示すフローチャートである。
【符号の説明】
【００４３】
１  テレビジョン受信機
３  アンテナ
４  遠隔操作装置
５、６  番組表画面
１１  選局部
１２  ＴＳ復調部
１３  映像音声復調部
１４  音声出力部
１５  番組情報記憶部
１６  画像生成部
１７  ＯＳＤ部
１８  映像表示部
１９  ＣＰＵ
２０  タイマ
２１  ＲＯＭ
２２  ＲＡＭ
２３、４１  操作部
２４  操作受信部
２５  通信部
２６  バス
４２  操作送信部
５１  番組表表示領域
５２  番組情報表示領域
６１  子画面
【図１】
2009218734.tif 000003
【図２】
2009218734.tif 000004
【図３】
2009218734.tif 000005
【図４】
2009218734.tif 000006
【図５】
2009218734.tif 000007
【図６】
2009218734.tif 000008
【図７】
2009218734.tif 000009
【図８】
2009218734.tif 000010